(57)【特許請求の範囲】
【請求項１】
ユーザの脈拍数を取得する取得部と、
前記取得部によって取得された脈拍数に応じて、歩行ペースを示す映像を決定する決定部と、
自装置の地面に対する傾きを検知する検知部と、
前記検知部によって前記自装置の傾きが所定の角度の範囲外である場合には、現在の位置を測定し、該現在の位置を示す位置情報を記憶部に格納する測定部と、
前記検知部によって検知された前記自装置の傾きが所定の角度の範囲内である場合には、前記決定部によって決定された歩行ペースを示す映像を前記ユーザの前方の地面に投影し、前記検知部によって検知された前記自装置の傾きが所定の角度の範囲内であって、かつ、現在の位置が前記記憶部に格納された位置情報と一致する場合には、前記歩行ペースを示す映像とともに、注意喚起の映像を投影し、前記検知部によって検知された前記自装置の傾きが所定の角度の範囲外である場合には、前記歩行ペースを示す映像の投影を中止する投影部と、
を備えたことを特徴とする表示装置。
【請求項２】
表示装置で実行される表示方法であって、
ユーザの脈拍数を取得する取得工程と、
前記取得工程によって取得された脈拍数に応じて、歩行ペースを示す映像を決定する決定工程と、
自装置の地面に対する傾きを検知する検知工程と、
前記検知工程によって前記自装置の傾きが所定の角度の範囲外である場合には、現在の位置を測定し、該現在の位置を示す位置情報を記憶部に格納する測定工程と、
前記検知工程によって検知された前記自装置の傾きが所定の角度の範囲内である場合には、前記決定工程によって決定された歩行ペースを示す映像を前記ユーザの前方の地面に投影し、前記検知工程によって検知された前記自装置の傾きが所定の角度の範囲内であって、かつ、現在の位置が前記記憶部に格納された位置情報と一致する場合には、前記歩行ペースを示す映像とともに、注意喚起の映像を投影し、前記検知工程によって検知された前記自装置の傾きが所定の角度の範囲外である場合には、前記歩行ペースを示す映像の投影を中止する投影工程と、
を含んだことを特徴とする表示方法。
【発明の詳細な説明】
【技術分野】
【０００１】
本発明は、表示装置および表示方法に関する。
【背景技術】
【０００２】
近年、高齢者の介護予防の一手段としてウォーキングを行うことが推奨されている。このようなウォーキング時において、ウォーキング時の歩くペースに合ったテンポの曲を自動的に選曲して再生する技術が知られている（例えば、非特許文献１参照）。
【先行技術文献】
【非特許文献】
【０００３】
【非特許文献１】音楽との一体感が得られるランニング/ウォーキング用音楽プレーヤー、［online］、［平成２６年１１月２６日検索］、インターネット＜http://www.yamaha.co.jp/news/2009/09012101.html
【発明の概要】
【発明が解決しようとする課題】
【０００４】
しかしながら、上記した従来の技術では、ユーザに応じた歩行ペースを適切に知らせることができないという課題があった。つまり、従来の技術では、歩行ペースに合わせた音楽を再生することができるが、ユーザに応じた歩行ペースを適切に知らせることができなかった。
【０００５】
そこで、この発明は、上述した従来技術の課題を解決するためになされたものであり、ユーザに応じた歩行ペースを適切に知らせることができることを目的とする。
【課題を解決するための手段】
【０００６】
上述した課題を解決し、目的を達成するために、本発明に係る表示装置は、ユーザの脈拍数を取得する取得部と、前記取得部によって取得された脈拍数に応じて、歩行ペースを示す映像を決定する決定部と、前記決定部によって決定された歩行ペースを示す映像を前記ユーザの前方の地面に投影する投影部と、を備えたことを特徴とする。
【０００７】
また、本発明に係る表示方法は、表示装置で実行される表示方法であって、ユーザの脈拍数を取得する取得工程と、前記取得工程によって取得された脈拍数に応じて、歩行ペースを示す映像を決定する決定工程と、前記決定工程によって決定された歩行ペースを示す映像を前記ユーザの前方の地面に投影する投影工程と、を含んだことを特徴とする。
【発明の効果】
【０００８】
開示の表示装置および表示方法によれば、ユーザに応じた歩行ペースを適切に知らせることを可能にする。
【図面の簡単な説明】
【０００９】
【図１】図１は、実施例１に係る表示装置の構成の一例を説明するための図である。
【図２】図２は、実施例１に係る表示装置の外観の一例を説明するための図である。
【図３】図３は、投影する歩行ペースを示す映像の例を説明する図である。
【図４】図４は、歩行ペースを示す映像を投影する処理を説明する図である。
【図５】図５は、実施例１に係る表示装置の処理手順を説明するためのフローチャートである。
【図６】図６は、実施例２に係る表示装置の構成の一例を説明するための図である。
【図７】図７は、歩行ペースを示す映像を投影する処理を説明する図である。
【図８】図８は、実施例２に係る表示装置の処理手順を説明するためのフローチャートである。
【図９】図９は、本実施例に係る表示プログラムを実行するコンピュータを示す図である。
【発明を実施するための形態】
【００１０】
以下に添付図面を参照して、この発明に係る表示装置および表示方法の実施例を詳細に説明する。なお、この実施例によりこの発明が限定されるものではない。
【実施例１】
【００１１】
［実施例１に係る表示装置の構成］
まず、図１を用いて、表示装置１０の構成を説明する。図１は、実施例１に係る表示装置の構成の一例を説明するための図である。図１に示すように、この表示装置１０は通信部１１、脈拍センサ１２ａ、傾きセンサ１２ｂ、制御部１３、記憶部１４および投影部１５を有する。以下にこれらの各部の処理を説明する。なお、ここで説明する構成はあくまで一例であり、他のさまざまな形態でも実施が可能である。
【００１２】
通信部１１は、他の装置との間で行われる各種情報に関する通信を制御する。例えば、通信部１１は、他の装置と通信を行って現在位置に関する情報を受信するようにしてもよい。
【００１３】
脈拍センサ１２ａは、表示装置１０を装着したユーザの脈拍数を検知する。また、傾きセンサ１２ｂは、表示装置１０の地面に対する傾きを検知する。ここで、図２を用いて、表示装置１０の外観について説明する。図２は、実施例１に係る表示装置の外観の一例を説明するための図である。図２に例示するように、表示装置１０がユーザの頭に装着された状態では、脈拍センサ１２ａがユーザのこめかみ付近に位置し、傾きセンサ１２ｂおよび投影部１５が額付近に位置することとなる。なお、脈拍センサ１２ａは、耳たぶに位置するようにしてもよい。
【００１４】
ここで、表示装置１０は、脈拍センサ１２ａにより検知された脈拍数によって異なる歩行ペースの映像を投影部１５から投影する。また、表示装置１０は、傾きセンサ１２ｂにより地面に対する自装置の角度が特定の角度の範囲内である、例えば、ユーザが地面を見ている状態であると判定された場合に、映像を表示する。
【００１５】
記憶部１４は、制御部１３による各種処理に要するデータや、制御部１３による各種処理結果を記憶するものであり、表示画像記憶部１４ａを有する。また、記憶部１４は、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００１６】
表示画像記憶部１４ａは、後述する投影部１５によって投影される画像を記憶する。例えば、表示画像記憶部１４ａは、図３に例示するように、歩行ペースを示す映像として、足のリアル映像（図３の（Ａ）参照）や、足のアニメ化映像（図３の（Ｂ））を記憶する。なお、投影部１５にリアル映像を表示させるか、アニメ化映像を表示させるかはユーザが任意に設定することができる。
【００１７】
制御部１３は、各種の処理手順などを規定したプログラムおよび所要データを格納するための内部メモリを有し、これらによって種々の処理を実行するが、特に本発明に密接に関連するものとしては、取得部１３ａ、検知部１３ｂおよび決定部１３ｃを有する。
【００１８】
取得部１３ａは、ユーザの脈拍数を取得する。具体的には、取得部１３ａは、所定の時間間隔で、脈拍センサ１２ａからユーザの脈拍数を定期的に取得する。
【００１９】
検知部１３ｂは、自装置の地面に対する傾きを検知する。具体的には、検知部１３ｂは、所定の時間間隔で傾きセンサ１２ｂから自装置の傾きに関する情報を取得し、取得した情報を用いて、自装置の地面に対する傾きを検知する。
【００２０】
決定部１３ｃは、取得部１３ａによって取得された脈拍数に応じて、歩行ペースを示す映像を決定する。具体的には、決定部１３ｃは、脈拍数の値が所定の閾値より大きい場合には、歩行ペースが遅い映像を決定し、決定した映像の情報を表示画像記憶部１４ａから読み出す。また、決定部１３ｃは、脈拍数の値が所定の閾値より小さい場合には、歩行ペースが早い映像を決定する。なお、決定部１３ｃは、脈拍数が所定数以上上昇した場合に、歩行ペースが遅い映像に決定し、脈拍数が所定数以上下降した場合に、歩行ペースが早い映像に決定するようにしてもよい。
【００２１】
投影部１５は、決定部１３ｃによって決定された歩行ペースを示す映像をユーザの前方の地面に投影するものであり、プロジェクタなどを備えて構成される。例えば、投影部１５は、図４に例示するように、歩行ペースを示す映像として、足のリアル映像をユーザの前方の地面に投影する。ここで、地面に投影される足のリアル映像について、ユーザの心拍数に応じて、足の動く早さが変わる。つまり、ユーザの心拍数が多いほど、歩行ペースが遅い映像を投影し、ユーザの心拍数が少ないほど、歩行ペースが早い映像を投影する。これにより、脈拍数の上下に対応する歩行ペースの映像を投影することができる。
【００２２】
また、投影部１５は、検知部１３ｂによって検知された自装置の傾きが所定の角度の範囲内である場合には、歩行ペースを示す映像をユーザの前方の地面に投影し、検知部１３ｂによって検知された自装置の傾きが所定の角度の範囲外である場合には、歩行ペースを示す映像の投影を中止する。つまり、例えば、ユーザが進行方向の地面を見るように首を傾けているときは、歩行ペースを示す映像を投影し、ユーザが上を見上げるように首を傾けているときは、歩行ペースを示す映像の投影を中止する。
【００２３】
［表示装置による処理］
次に、図５を用いて、実施例１に係る表示装置１０による処理を説明する。図５は、実施例１に係る表示装置の処理動作を示すフローチャートである。
【００２４】
図５に示すように、表示装置１０の取得部１３ａは、電源オンの指示を受け付けると（ステップＳ１０１肯定）、ユーザの脈拍数を定期的に取得する（ステップＳ１０２）。そして、検知部１３ｂは、自装置の地面に対する傾きを定期的に検知する（ステップＳ１０３）。
【００２５】
続いて、投影部１５は、検知部１３ｂによって検知された自装置の傾きが所定の角度の範囲内であるかを判定する（ステップＳ１０４）。この結果、投影部１５は、検知部１３ｂによって検知された自装置の傾きが所定の角度の範囲内でないと判定された場合（ステップＳ１０４否定）、つまり、ユーザが上を見上げるように首を傾けていると判定された場合は、歩行ペースを示す映像の表示を中止する（ステップＳ１０７）。
【００２６】
一方、検知部１３ｂによって検知された自装置の傾きが所定の角度の範囲内であると判定された場合（ステップＳ１０４肯定）、つまり、ユーザが進行方向の地面を見るように首を傾けている場合には、決定部１３ｃは、脈拍数に応じて、歩行ペースを示す映像の表示内容を決定する（ステップＳ１０５）。具体的には、決定部１３ｃは、脈拍数の値が所定の閾値より大きい場合には、歩行ペースが遅い映像を決定し、決定した映像の情報を表示画像記憶部１４ａから読み出す。また、決定部１３ｃは、脈拍数の値が所定の閾値より小さい場合には、歩行ペースが早い映像を決定する。その後、投影部１５は、決定部１３ｃによって決定された歩行ペースを示す映像をユーザの前方の地面に投影する（ステップＳ１０６）。
【００２７】
［実施例１の効果］
上述してきたように、表示装置１０は、ユーザの脈拍数を取得し、取得された脈拍数に応じて、歩行ペースを示す映像を決定し、決定された歩行ペースを示す映像をユーザの前方の地面に投影するので、ユーザに応じた歩行ペースを適切に知らせることができる。つまり、表示装置１０は、歩き方のお手本を映像で見ながらウォーキングを行うことができ、簡単に歩行ペースをつかむことができる。また、体調を脈拍数で検知し、歩行ペースを自動的に調整するので、体に過度な負担をかけずにウォーキングを行うことができる。
【００２８】
また、表示装置１０は、自装置の地面に対する傾きを検知し、自装置の傾きが所定の角度の範囲内である場合には、歩行ペースを示す映像をユーザの前方の地面に投影し、検知部によって検知された自装置の傾きが所定の角度の範囲外である場合には、歩行ペースを示す映像の投影を中止する。このため、ユーザが上を見上げて地面を見ていないような場合には、歩行ペースを示す映像の投影を中止することが可能である。
【実施例２】
【００２９】
ところで、上記の実施例１では、歩行ペースを示す映像のみを投影する場合を説明したが、本発明はこれに限定されるものではなく、歩行ペースを示す映像とともに注意喚起の映像を投影するようにしてもよい。
【００３０】
そこで、以下の実施例２では、自装置の傾きが所定の角度の範囲外である場合には、現在の位置を測定し、該現在の位置を示す位置情報を記憶し、その後、記憶された位置情報と一致する位置に来た場合には、歩行ペースを示す映像とともに、注意喚起の映像を投影する場合について説明する。なお、実施例１と同様の構成および処理については説明を省略する。
【００３１】
まず、図６を用いて、実施例２に係る表示装置１０Ａの構成について説明する。図６は、実施例２に係る表示装置の構成の一例を説明するための図である。図６に示すように、実施例２に係る表示装置１０Ａは、実施例１に係る表示装置１０と比較して、測定部１３ｄおよび位置情報記憶部１４ｂを有する点で異なる。
【００３２】
位置情報記憶部１４ｂは、後述する測定部１３ｄによって測定された現在位置の情報を記憶する。位置情報記憶部１４ｂは、位置の情報として、例えば、緯度および経度の情報を記憶する。
【００３３】
測定部１３ｄは、検知部１３ｂによって自装置の傾きが所定の角度の範囲外である場合には、現在の位置を測定し、該現在の位置を示す位置情報を位置情報記憶部１４ｂに格納する。例えば、測定部１３ｄは、ユーザが上を見上げるように首を傾けたことにより、自装置の傾きが所定の角度の範囲外であると判定されると、既存のＧＰＳ機能を利用して現在の位置を測定し、位置情報記憶部１４ｂに格納する。つまり、ユーザが上を見上げるように首を傾けた場合には、ユーザが何かに気を引かれたり、散歩中に危険を感じたりしたものとして、その位置を記憶する。
【００３４】
投影部１５は、検知部１３ｂによって検知された自装置の傾きが所定の角度の範囲内であって、かつ、現在の位置が位置情報記憶部１４ｂに格納された位置情報と一致する場合には、歩行ペースを示す映像とともに、注意喚起の映像を投影する。例えば、図７に例示するように、表示装置１０Ａは、歩行ペースを示す映像に注意喚起の映像（図７の例では、電球の図柄）を重畳した画像を投影する。この注意喚起の映像を投影する際には、例えば、さらに音を出力してユーザの注意を促すようにしてもよい。また、図７のように注意喚起の映像を投影せずに、歩行ペースを示す映像を点滅するようにしてもよい。
【００３５】
つまり、ユーザが首を上げるなど、ユーザが上を見上げるように首を傾けた場合には、ユーザが何かに気を引かれたり、散歩中に危険を感じたりしたものとして、その位置を記憶しておき、以後に、記憶された位置に来た時には、歩行ペースを示す映像とともに、注意喚起の映像を投影する。これにより、ウォーキング中のユーザの安全性を高めることが可能である。
【００３６】
次に、図８を用いて、実施例２に係る表示装置１０Ａによる処理を説明する。図８は、実施例２に係る表示装置の処理動作を示すフローチャートである。
【００３７】
図８に示すように、表示装置１０Ａの取得部１３ａは、実施例１と同様に、電源オンの指示を受け付けると（ステップＳ２０１肯定）、ユーザの脈拍数を定期的に取得する（ステップＳ２０２）。そして、検知部１３ｂは、自装置の地面に対する傾きを定期的に検知する（ステップＳ２０３）。続いて、測定部１３ｄは、現在位置を測定する（ステップＳ２０４）。
【００３８】
そして、投影部１５は、検知部１３ｂによって検知された自装置の傾きが所定の角度の範囲内であるかを判定する（ステップＳ２０５）。この結果、投影部１５は、検知部１３ｂによって検知された自装置の傾きが所定の角度の範囲内でないと判定された場合（ステップＳ２０５否定）、つまり、ユーザが上を見上げるように首を傾けていると判定された場合は、現在位置を位置情報記憶部１４ｂに格納し（ステップＳ２１０）、歩行ペースを示す映像の表示を中止する（ステップＳ２１１）。
【００３９】
一方、検知部１３ｂによって検知された自装置の傾きが所定の角度の範囲内であると判定された場合（ステップＳ２０５肯定）、つまり、ユーザが進行方向の地面を見るように首を傾けている場合には、決定部１３ｃは、脈拍数に応じて、歩行ペースを示す映像の表示内容を決定する（ステップＳ２０６）。そして、投影部１５は、現在位置が位置情報記憶部１４ｂに記憶されている停止位置と同一であるか判定する（ステップＳ２０７）。
【００４０】
この結果、投影部１５は、同一であると判定した場合には（ステップＳ２０７肯定）、歩行ペースを示す情報と注意喚起情報を重畳してユーザの前方の地面に投影する（ステップＳ２０８）。また、投影部１５は、同一でないと判定した場合には（ステップＳ２０７否定）、歩行ペースを示す情報のみをユーザの前方の地面に投影する（ステップＳ２０９）。
【００４１】
このように、実施例２に係る表示装置１０Ａでは、自装置の傾きが所定の角度の範囲外である場合には、現在の位置を測定し、該現在の位置を示す位置情報を記憶する。その後、記憶された位置情報と一致する位置に来た場合には、歩行ペースを示す映像とともに、注意喚起の映像を投影する。これにより、ウォーキング中のユーザの安全性を高めることが可能である。
【実施例３】
【００４２】
さて、これまで本発明の実施例について説明したが、本発明は上述した実施例以外にも、種々の異なる形態にて実施されてよいものである。そこで、以下では実施例３として本発明に含まれる他の実施例を説明する。
【００４３】
［現在位置の格納］
上記の実施例２では、装置の傾きが所定の角度の範囲外である場合に、注意喚起すべき場所として現在位置を格納する場合を説明したが、これに限定されるものではない。例えば、表示装置が加速度センサを有し、加速度センサにより表示装置が所定の速度以上の速さで動かされた場合に、注意喚起すべき場所として現在位置を格納するようにしてもよい。つまり、ユーザが何かに気を引かれたり、散歩中に危険を感じたりした場合には、急に首や頭を動かすことが考えられる。このため、表示装置が所定の速度以上の速さで動いた場合には、ユーザが何かに気を引かれたり、散歩中に危険を感じたりしたものとして、現在位置を格納する。そして、以後に同一の場所にユーザが来た場合には、歩行ペースを示す映像とともに、注意喚起の映像を投影する。
【００４４】
［システム構成］
また、本実施例において説明した各処理の内、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については、特記する場合を除いて任意に変更することができる。
【００４５】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００４６】
[プログラム]
上記実施例で説明した表示装置１０は、あらかじめ用意されたプログラムをコンピュータで実行することで実現することもできる。そこで、以下では、図１に示した表示装置１０と同様の機能を実現する表示プログラムを実行するコンピュータの一例を説明する。
【００４７】
図９は、本実施例に係る表示プログラムを実行するコンピュータ１０００を示す図である。図９に示すように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。  
【００４８】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１０４１に接続される。ディスクドライブ１０４１には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００４９】
ここで、図９に示すように、ハードディスクドライブ１０９０は、例えば、ＯＳ（Operating  System）１０９１、アプリケーションプログラム１０９２、プログラムモジュール１０９３およびプログラムデータ１０９４を記憶する。本実施例に係る表示プログラムは、例えば、コンピュータ１０００によって実行される指令が記述されたプログラムモジュール１０９３として、例えばハードディスクドライブ１０９０に記憶される。
【００５０】
また、表示プログラムによる情報処理に用いられるデータは、プログラムデータ１０９４として、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、各種の手順を実行する。
【００５１】
なお、表示プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１０４１等を介してＣＰＵ１０２０によって読み出されてもよい。あるいは、表示プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【００５２】
これらの実施例やその変形は、本願が開示する技術に含まれると同様に、特許請求の範囲に記載された発明とその均等の範囲に含まれるものである。
【００５３】
［その他］
なお、本実施例で説明した表示プログラムは、インターネットなどのネットワークを介して配布することができる。また、表示プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００５４】
１０、１０Ａ  表示装置
１１  通信部
１２ａ  脈拍センサ
１２ｂ  傾きセンサ
１３  制御部
１３ａ  取得部
１３ｂ  検知部
１３ｃ  決定部
１３ｄ  測定部
１４  記憶部
１４ａ  表示画像記憶部
１４ｂ  位置情報記憶部
１５  投影部
【図１】
0006276171.tif 000002
【図２】
0006276171.tif 000003
【図３】
0006276171.tif 000004
【図４】
0006276171.tif 000005
【図５】
0006276171.tif 000006
【図６】
0006276171.tif 000007
【図７】
0006276171.tif 000008
【図８】
0006276171.tif 000009
【図９】
0006276171.tif 000010